(57)【要約】【課題】選択された画像形成モードにおける電源投入から画像形成処理実行可能になるまでの立ち上げ時間を短縮する。【解決手段】機能ブロック毎にユニット化され、複数の画像形成モードを有する画像形成装置において、実行する画像形成モードを選択する選択部と、前記選択部で選択された画像形成モードを記憶する記憶部と、電源が投入されるに応じて、前記記憶部に記憶された画像形成モードを判別し、該画像形成モードの実行に必要な前記機能ブロックから初期化ステータスを取得して、初期化が完了してか否かを判別し、初期化が完了したと判別したとき前記記憶部に記憶された前記画像形成モードの動作を可能とする本体制御部とを備える。【選択図】図３
2005103829.tif 000002
【特許請求の範囲】
【請求項１】
機能ブロック毎にユニット化され、複数の画像形成モードを有する画像形成装置において、
実行する画像形成モードを選択する選択部と、
前記選択部で選択された画像形成モードを記憶する記憶部と、
電源が投入されるに応じて、前記記憶部に記憶された画像形成モードを判別し、該画像形成モードの実行に必要な前記機能ブロックから初期化ステータスを取得して、初期化が完了したか否かを判別し、初期化が完了したと判別したとき前記記憶部に記憶された前記画像形成モードの動作を可能とする本体制御部と、
を備えることを特徴とする画像形成装置。
【請求項２】
前記機能ブロックは、電源が投入されるに応じて初期化を実行し、前記本体制御部から初期化ステータスの問い合わせを受けるまで初期化ステータスを保持するユニット制御部を有することを特徴とする請求項１に記載の画像形成装置。
【請求項３】
前記記憶部が記憶する画像形成モードは書き換え可能であることを特徴とする請求項１または請求項２に記載の画像形成装置。
【発明の詳細な説明】
【技術分野】
【０００１】
本発明は、機能ブロック単位にユニット化され、複数の画像形成モードを有する画像形成装置に関し、より詳しくは、電源投入時に、選択された画像形成モードの実行に必要な機能ブロックのみの初期化完了を確認すると、選択された画像形成モードの実行を可能とすることにより電源投入から選択された画像形成モードの実行可能になるまでの待ち時間を短縮する技術に係わる。
【背景技術】
【０００２】
現在、画像形成装置には、孔版印刷装置をはじめ複写機、レザービームプリンタ（以下ＬＢＰと表記する）やインクジェットプリンタ（以下ＩＪプリンタと表記する）等、種々の印刷方式を有するものが存在し、それぞれの特徴に応じて使用されている。
【０００３】
孔版印刷装置は、印刷速度が早い、印刷コストが安価等の特徴を有する他、ＩＪプリンタには必要な印字ヘッドの回復処理やＬＢＰには必要な定着器とその加熱等が不要なことからメンテナンスが簡単、省電力等他の画像形成装置と比較して利点を有することから、多くのユーザに使用されている。
【０００４】
また、多くの画像形成装置はスキャナー等により直接原稿を読み取って印刷する画像形成モード（以下、スキャナーモードと称す）の他に、ネットワークや通信回線を介して接続した情報処理装置から送られるデータを印刷する画像形成モード（以下、プリンタモードと称す）を有する。このような画像形成装置は画像形成モードに応じて素早い動作開始が要求されるため、例えば、特許文献１に示すように画像形成装置を機能ブロック単位にユニット化し、該ユニットを制御単位として起動、停止の制御をする技術が開示されている。
【特許文献１】特開２００１−２４５０８８号公報
【発明の開示】
【発明が解決しようとする課題】
【０００５】
特許文献１に開示される技術では画像形成装置をユニットに分割し、該ユニットを制御単位として起動及び停止を制御することが開示されている。この場合、全体を制御する全体制御手段と駆動電圧を供給する電源制御手段を設け、電源制御手段は、各ユニットへの電源供給と切断をユニット毎に所定の順序で行うことで立ち上げ時間の短縮を図っている。
【０００６】
しかし、画像形成装置の全てのユニットについて所定の順序で制御するため、立ち上げ時間は選択された画像形成モードに不要な（使用しない）ユニット立ち上げ時間を含むという問題の他に電源制御手段を設ける必要があり製造コストの増加、信頼性の低下という問題があった。
【０００７】
本発明は、このような問題を解決するためになされたものであり、その目的は、製造コストの増加を招くことなく、選択された画像形成モードにおける電源投入から画像形成処理実行可能になるまでの立ち上げ時間を短縮できる画像形成装置を提供することにある。
【課題を解決するための手段】
【０００８】
本発明に係わる画像形成装置の特徴は、機能ブロック毎にユニット化され、複数の画像形成モードを有する画像形成装置において、実行する画像形成モードを選択する選択部と、前記選択部で選択された画像形成モードを記憶する記憶部と、電源が投入されるに応じて、前記記憶部に記憶された画像形成モードを判別し、該画像形成モードの実行に必要な前記機能ブロックから初期化ステータスを取得して、初期化が完了したか否かを判別し、初期化が完了したと判別したとき前記記憶部に記憶された前記画像形成モードの動作を可能とする本体制御部とを備えることにある。
【０００９】
また、前記機能ブロックは、電源が投入されるに応じて初期化を実行し、前記本体制御部から初期化ステータスの問い合わせを受けるまで初期化ステータスを保持するユニット制御部を有することを特徴とする。
【００１０】
さらに、前記記憶部が記憶する画像形成モードは書き換え可能であることを特徴とする。
【発明の効果】
【００１１】
本発明によれば、電源が投入された際、各機能ブロックは初期化を開始し、初期化が終了すると初期化ステータスを保持する。本体制御部は選択された画像形成モードの実行に必要な機能ブロックのみの初期化完了を確認し、初期化完了が確認されるのに応じて、選択された画像形成モードの実行に不必要な機能ブロックの初期化完了を確認することなく、選択された画像形成モードの実行を可能とする。このように構成することで、格別の電源制御手段を設けることもなく、選択された動作モードにおける電源投入から画像形成処理実行可能になるまでの立ち上げ時間を短縮することができる。
【発明を実施するための最良の形態】
【００１２】
以下、図面を参照して、本発明の一実施例となる孔版印刷装置について詳しく説明する。
【００１３】
［孔版印刷装置の構成］
始めに、図１を参照して、孔版印刷装置の構成について説明する。
【００１４】
本発明に係わる孔版印刷装置１は、複数の画像形成モードを有する画像形成装置であり、図１に示すように、スキャナーユニット２、ネットワークや通信回線を介して情報処理装置３との通信処理を制御する通信処理ユニット４、画像処理ユニット５、製版ユニット６、給紙ユニット７、印刷ユニット８、排紙ユニット９、表示／入力ユニット（選択部）１０、排紙ユニット１７および本体制御ユニット（制御部）１１等の機能ブロック（以下、ユニットと称す）に分割することができる。
【００１５】
また、孔版印刷装置１は、スキャナーユニット２と画像処理ユニット５、通信処理ユニット４と画像処理ユニット５、画像処理ユニット５と製版ユニット６はそれぞれ信号ラインＡ、信号ラインＢ、信号ラインＣを介して接続され、これらの信号ラインは所定のプロトコルに従ってデータを送信可能に構成されている。
【００１６】
さらに、各ユニットは信号ラインＤを介して他のユニットと接続され、相互に通信出来るように構成されている。
【００１７】
また、孔版印刷装置１を構成する機能ブロックは、それぞれユニット制御部を備え、ユニット毎に閉じた形で機能を実現することが可能である。但し、本体制御ユニット１１がユニット制御部を兼ねる機能ブロックが存在してもよい。
【００１８】
さらに、孔版印刷装置１の電源が投入されるのに応じて、各ユニットのユニット制御部は初期化を実行し本体制御ユニット１１から初期化完了の問い合わせを受けるまで、初期化処理の実行結果、即ち初期化ステータスを保持する。なお、初期化ステータスとは初期化完了情報や初期化失敗情報で構成されている。
【００１９】
本体制御ユニット１１は、各種処理を実行するＣＰＵ（Central Processing Unit ）１２、プログラムやデータを記憶するＲＯＭ（Read Only Memory）１３、ワークエリアおよび処理データを一時期的に記憶するＲＡＭ（Randam Access Memory）１４、画像形成モード等を記憶する不揮発性記憶手段１５等で構成される。なお、画像形成モードは、ユーザが表示／入力ユニット１０を介して選択・設定する。
【００２０】
孔版印刷装置１は、画像形成モードとしてスキャナーユニット２が原稿から読み取った画像データに画像処理ユニット５で所定のデータ処理を実行し、所定のデータ処理された画像データに基づき製版・印刷するスキャナーモードと、ネットワークもしくは通信回線で通信処理ユニット４を介して情報処理装置３と接続し、情報処理装置３で作成された画像データを受信し、該画像データに画像処理ユニット５で所定のデータ処理を実行し、所定のデータ処理された画像データに基づき製版・印刷するプリンタモードの２つの画像形成モードを有する。
【００２１】
図２を参照してスキャナーモードおよびプリンタモードを実行する際の孔版印刷装置１の動作について説明する。図２は図１に示す画像処理ユニット５、製版ユニット６の詳細を示すブロック図である。画像処理ユニット５はスキャナーユニット２が原稿から読み取った画像データを処理する画像処理部５ａとユニット制御部５ｂおよび情報処理装置３から送信された画像データを処理する画像処理部５ｃとユニット制御部５ｄとで構成されている。また、製版ユニット６は製版データを受信する信号ラインＣ１，Ｃ２を切り替える切り替え部６ａ、孔版原紙を溶融穿孔するサーマルヘッド６ｂ、サーマルヘッド６ｂを駆動するヘッドドライバ６ｃ等で構成されている。また、孔版印刷装置１は予め画像形成モードが設定され、電源が投入されて待機状態にあるものとする。
【００２２】
スキャナーモードが不揮発性記憶手段１５に記憶されている場合は、ユーザがスキャナーユニット２の図示しない原稿台あるいはＡＤＦ（Auto Document Feeder）に原稿をセットし、表示／入力ユニット１０から印刷実行を指示すると、本体制御ユニット１１の制御を受けたスキャナーユニット２は原稿を読み取り、読み取った画像データを画像ユニット５ａに信号ラインＡを介して送信する。画像データを受信すると画像ユニット５ａはユニット制御部５ｂの制御により該画像データをプリンタドライバ等により二値化処理して製版データを生成し、切り替え部６ａに信号ラインＣ１を介して送信する。この時信号ラインＣ１は本体制御ユニット１１の制御を受けた切り替え部６ａによりヘッドドライバ６ｃに接続されているので、二値化処理された製版データはヘッドドライバ６ｃに送信される。ヘッドドライバ６ｃは本体制御部１１等の制御により製版データに基づいてサーマルヘッド６ｂを駆動し、サーマルヘッド６ｂは孔版原紙を製版する。そして製版ユニット６での製版処理が終了すると、本体制御ユニット１１の制御により印刷ユニット８が動作を開始して、製版された孔版原紙が図示しない版胴に着版される。着版が終了すると本体制御ユニット１１の制御により、給紙ユニット７、印刷ユニット８、排紙ユニット９等が動作を開始して印刷し、印刷物を排紙ユニット９に出力する。
【００２３】
一方、プリンタモードが不揮発性記憶手段１５に記憶されている場合は、通信処理ユニット４が情報処理装置３から画像データを受信すると、本体制御ユニット１１の制御を受けた通信処理ユニット４は受信した画像データを画像ユニット５ｃに信号ラインＢを介して送信する。画像データを受信すると画像ユニット５ｃは、ユニット制御部５ｄの制御により該画像データをプリンタドライバ等により二値化処理して製版データを生成し、切り替え部６ａに信号ラインＣ２を介して送信する。この時信号ラインＣ２は本体制御ユニット１１の制御を受けた切り替え部６ａによりヘッドドライバ６ｃに接続されているので、二値化処理された製版データはヘッドドライバ６ｃに送信される。以下スキャナーモードと同様であり説明を省略する。
【００２４】
以上説明したように本発明の一実施形態である孔版印刷装置１は、機能ブロック単位にユニット化され、複数の画像形成モードを有する。また、孔版印刷装置１は、以下に説明する初期化処理を実行することにより、製造コストの増加を招くことなく、選択された画像形成モードにおいて電源投入から画像形成処理実行可能になるまでの立ち上げ時間を短縮する。
【００２５】
以下、図３を参照して、初期化処理の動作を説明する。
【００２６】
［初期化処理］
先ず簡単に各ユニットの初期化処理について説明する。各ユニットのユニット制御部は図示を省略するが本体制御ユニット１１と同様に、各種処理を実行するＣＰＵ、プログラムやデータを記憶するＲＯＭ、ワークエリアおよび処理データを一時期的に記憶するＲＡＭ等で構成され、ＲＯＭに記憶されたプログラムやデータが異なるだけである。そして、主電源スイッチが投入され、各ユニットに供給される電源電圧が所定値に達するとそれぞれ初期化処理を開始する。この場合、各ユニットに電源を供給する電源装置はユニット毎に準備されても良いし、幾つかのユニットをまとめて準備されても良い。そして初期化処理が終了すると本体制御ユニット１１からアクセスされるまで待機する。
【００２７】
具体的には、スキャナーユニット２の初期化処理は、スキャナー部２ａの原稿を読み取る光学ユニットの動作確認、シューティング補正の完了確認、原稿のジャム等をユニット制御部２ｂがプログラムに基づいて実行し、ユニット制御部２ｂのＲＡＭの所定領域に初期化ステータス番号を記憶する。初期化が問題なく終了すれば例えば“０”を、問題があれば問題に対応する初期化ステータス番号、例えば光学ユニットの動作に問題があれば３を、シューティング補正の完了に問題があれば４を、原稿のジャムに問題があれば５を記憶する。また、初期化処理中であれば１を記憶する。
【００２８】
通信処理ユニット４の初期化処理は、通信処理部４ａのハードウエアに対する各種パラメータの設定確認、ネットワークや通信回線との接続の確認等をユニット制御部４ｂがプログラムに基づいて実行し、以下同様に初期化ステータス番号をユニット制御部４ｂのＲＡＭの所定領域に記憶する。
【００２９】
画像処理ユニット５の初期化処理は、ユニット制御部５ｂのスキャナーモードを実行するためのパラメータ設定確認、レジスタ設定確認をユニット制御部５ｂが実行し、初期化ステータス番号をユニット制御部５ｂのＲＡＭの所定領域に記憶する。さらにユニット制御部５ｄのプリンタモードを実行するためのパラメータ設定確認、レジスタ設定確認をユニット制御部５ｄが実行し、初期化ステータス番号をユニット制御部５ｄのＲＡＭの所定領域に記憶する。
【００３０】
製版ユニット６、給紙ユニット７、印刷ユニット８、排紙ユニット９、排版ユニット１７は本体制御ユニット１１がユニット制御部を兼ねるため、ＣＰＵ１２が信号ラインＤにより製版ユニット６、給紙ユニット７、印刷ユニット８、排紙ユニット９を順次走査して、孔版原紙のセット、孔版原紙のジャム、印刷用紙のセット、印刷用紙のジャム、版胴のホームポジション、インクボトルのセット、インクボトルの残量、排紙経路でのジャム、排版経路でのジャム、排版ボックスの満杯等を確認し初期化ステータス番号をＲＡＭ１４の所定領域に記憶する。
【００３１】
表示／入力ユニット１０の初期化処理は、図示しない表示パネルや液晶タッチパネルの各種パラメータ設定確認を図示しないユニット制御部がプログラムに基づいて実行し、以下同様に初期化ステータス番号をユニット制御部のＲＡＭの所定領域に書き込む。
【００３２】
次に、孔版印刷装置１の初期化処理について説明する。図３は孔版印刷装置１の初期化処理の動作手順を示すフローチャートであり、ユーザにより孔版印刷装置１の主電源スイッチが投入され、本体制御ユニット１１や各ユニットに供給される電源電圧が所定値に達すると本体制御ユニット１１は処理動作を開始する。
【００３３】
ステップＳ１の処理においてＣＰＵ１２は、不揮発性記憶手段１５に記憶されている画像形成モードを読み出し、読み出した画像形成モードに対応する各ユニットの初期化ステータス記憶エリアをＲＡＭ１４に確保し、処理をステップＳ２に進める。
【００３４】
ステップＳ２の処理においてＣＰＵ１２は、表示／入力ユニット１０の初期化ステータス番号を表示／入力ユニット１０のユニット制御部から信号ラインＤを介して取得し、ＲＡＭ１４の初期化ステータス記憶エリアに記憶する。
【００３５】
ステップＳ３の処理においてＣＰＵ１２は、ＲＡＭ１４に記憶した製版ユニット６の初期化ステータス番号を、ＲＡＭ１４の初期化ステータス記憶エリアに記憶する。
【００３６】
ステップＳ４の処理においてＣＰＵ１２は、ＲＡＭ１４に記憶した給紙ユニット７の初期化ステータス番号を、ＲＡＭ１４の初期化ステータス記憶エリアに記憶する。
【００３７】
ステップＳ５の処理においてＣＰＵ１２は、ＲＡＭ１４に記憶した印刷ユニット８の初期化ステータス番号を、ＲＡＭ１４の初期化ステータス記憶エリアに記憶する。
【００３８】
ステップＳ６の処理においてＣＰＵ１２は、ＲＡＭ１４に記憶した排紙ユニット９の初期化ステータス番号を、ＲＡＭ１４の初期化ステータス記憶エリアに記憶する。
【００３９】
ステップＳ７の処理においてＣＰＵ１２は、ＲＡＭ１４に記憶した排版ユニット１７の初期化ステータスを、ＲＡＭ１４の初期化ステータス記憶エリアに記憶する。
【００４０】
ステップＳ８の処理においてＣＰＵ１２は、ステップＳ１の処理において読み出した画像形成モードがスキャナーモードであるか、プリンタモードであるかを判別する。判別の結果、スキャナーモードである場合は処理をステップＳ９に進め、プリンタモードである場合は処理をステップＳ１２に進める。
【００４１】
ステップＳ９の処理においてＣＰＵ１２は、スキャナーユニット２の初期化ステータス番号をスキャナーユニット２のユニット制御部から信号ラインＤを介して取得し、ＲＡＭ１４の初期化ステータス記憶エリアに記憶する。そして処理をステップＳ１０に進める。
【００４２】
ステップＳ１０の処理においてＣＰＵ１２は、画像処理部５ａの初期化ステータス番号をユニット制御部５ｂから信号ラインＤを介して取得し、ＲＡＭ１４の初期化ステータス記憶エリアに記憶する。そして処理をステップＳ１１に進める。
【００４３】
ステップＳ１１の処理においてＣＰＵ１２は、ＲＡＭ１４の初期化ステータス記憶エリアに記憶された初期化ステータス番号が全て初期化完了（例えばオール“０”）であるか否かを判別する。判別の結果、初期化ステータス記憶エリアに記憶された初期化ステータス番号が全て初期化完了（例えばオール“０”）の場合は処理をステップＳ１２に進め、全て初期化完了（例えばオール“０”）でない場合は処理をステップＳ１３に進める。
【００４４】
ステップＳ１２の処理においてＣＰＵ１２は、表示／入力ユニット１０に選択された画像形成モードでの印刷処理が可能であることを表示し、印刷処理開始の指示があるまで待機する。
【００４５】
一方、ステップＳ１１の処理において全て初期化完了（例えばオール“０”）でない場合、ステップＳ１３の処理においてＣＰＵ１２は、初期化ステータス記憶エリアに記憶された初期化ステータス番号が初期化完了（例えば“０”）または初期化中（例えば“１”）であるか否かを判別する。判別の結果、初期化ステータス番号が初期化完了または初期化中であれば処理をステップＳ２に戻し、初期化ステータス番号が初期化完了または初期化中でなければ処理をステップＳ１４に進める。
【００４６】
ステップＳ１４の処理においてＣＰＵ１２は、初期化完了または初期化中以外の初期化ステータス番号に応じて、表示／入力ユニット１０にエラーを表示し、処理を終了する。
【００４７】
一方、ステップＳ８の処理においてプリンタモードである場合、ステップＳ１５の処理においてＣＰＵ１２は、通信処理ユニット４の初期化ステータス番号を通信処理ユニット４のユニット制御部から信号ラインＤを介して所得し、ＲＡＭ１４の初期化ステータス記憶エリアに記憶する。そして処理をステップＳ１６に進める。
【００４８】
ステップＳ１６の処理においてＣＰＵ１２は、画像処理部５ｃの初期化ステータス番号をユニット制御部５ｄから信号ラインＤを介して取得し、ＲＡＭ１４の初期化ステータス記憶エリアに記憶する。そして処理をステップＳ１７に進める。
【００４９】
ステップＳ１７の処理においてＣＰＵ１２は、ＲＡＭ１４の初期化ステータス記憶エリアに記憶された初期化ステータス番号が全て初期化完了（例えばオール“０”）であるか否かを判別する。判別の結果、初期化ステータス記憶エリアに記憶された初期化ステータス番号が全て初期化完了（例えばオール“０”）の場合は処理をステップＳ１２に進め、全て初期化完了（例えばオール“０”）でない場合は処理をステップＳ１８に進める。
【００５０】
一方、ステップＳ１７の処理において全て初期化完了（例えばオール“０”）でない場合、ステップＳ１８の処理においてＣＰＵ１２は、初期化ステータス記憶エリアに記憶された初期化ステータス番号が初期化完了（例えば“０”）または初期化中（例えば“１”）であるか否かを判別する。判別の結果、初期化ステータス番号が初期化完了または初期化中であれば処理をステップＳ２に戻し、初期化ステータス番号が初期化完了または初期化中でなければ処理をステップＳ１４に進める。以下スキャナーモードと同じ処理手順であり省略する。
【００５１】
以上により、一連の初期化処理は終了する。
【００５２】
さらに、孔版印刷装置１の待機時にユーザが、画像形成モードを変更した場合の初期化処理について説明する。この場合、孔版印刷装置１はどちらか一方の画像形成モードに設定され、主電源スイッチが投入されて、各ユニットに供給される電源電圧が所定値に達した状態で待機状態にある。
【００５３】
ステップＳ２１の処理においてユーザが、表示／入力ユニット１０から画像形成モードの変更を指示（入力）すると、処理が開始される。
【００５４】
ステップＳ２２の処理においてＣＰＵ１２は、選択された画像形成モードを不揮発性記憶手段１５に記憶し、対応する各ユニットの初期化ステータス記憶エリアをＲＡＭ１４に確保し、処理をステップＳ８に進める。なおこの場合ＲＡＭ１４に確保する初期化ステータス記憶エリアはステップＳ２からステップＳ７に相当する機能ブロックの初期化ステータス記憶エリアは除かれる。
【００５５】
以下、新たに選択された画像形成モードに応じてステップＳ８以降の処理を実行することで初期化処理は終了する。この場合、各ユニットは初期化処理を終了し、初期化ステータスを保持しているので極めて短時間で初期化処理は終了することができる。
【００５６】
また、ＣＰＵ１２は、選択された画像形成モードでの印刷処理を実行中に支障のないタイミングで、選択されない画像形成モードの実行に必要なユニットの初期化ステータス番号を取得して、表示／入力ユニット１０に表示しても良い。このように構成することで、ユーザは使用しない画像形成モードでの不具合を事前に知り、対策を施すことができるので、孔版印刷装置１を効率的に稼動することができる。
【００５７】
以上説明したように、本発明の一実施例による孔版印刷装置１によれば、主電源スイッチが投入されて、各ユニットに供給される電源電圧が所定値に達するに応じて、本体制御ユニット１１のＣＰＵ１２が、不揮発性記憶手段１５に記憶されている画像形成モードを判別し、記憶されている画像形成モードの実行に必要なユニットのみの初期化ステータスをチェックして、記憶されている画像形成モードの実行に必要なユニットのみの初期化を完了した時、記憶されている画像形成モードの実行を可能とする。
【００５８】
このような構成によれば、格別の電源制御部を設ける必要はなく、簡単な構成で電源投入から記憶されている画像形成モードの実行可能になるまでの立ち上げ時間を短縮することができる。
【００５９】
また、ユーザが待機状態にある孔版印刷装置１の画像形成モードを変更する場合でも全てのユニットは初期化処理の初期化ステータス番号をＣＰＵ１２から問い合わせを受けるまで保持しているので、変更された画像形成モードの初期化確認を短時間で実行することができ、変更された画像形成モードの実行可能になるまでの立ち上げ時間を短縮することができる。
【００６０】
以上、本発明者によってなされた発明を適用した実施の形態について説明したが、この実施の形態による本発明の開示の一部をなす論述および図面により本発明は限定されることはない。すなわち、この実施の形態に基づいて当業者等によりなされる他の実施の形態、実施例および運用技術等は全て本発明の範疇に含まれることはもちろんであることを付け加えておく。
【産業上の利用可能性】
【００６１】
本発明は、複数の画像形成モードを有する画像形成装置に適用することができる。
【図面の簡単な説明】
【００６２】
【図１】本発明の一実施例である孔版印刷装置の構成を示すブロック図である。
【図２】図１に示す画像処理ユニットおよび製版ユニットの詳細な構成を示すブロック図である。
【図３】図１に示す孔版印刷装置の初期化処理の動作手順を示すフローチャートである。
【符号の説明】
【００６３】
１…孔版印刷装置
２…スキャナーユニット
３…情報処理装置
４…通信処理ユニット
５…画像処理ユニット
６…製版ユニット
７…給紙ユニット
８…印刷ユニット
９…排紙ユニット
１０…表示／入力ユニット
１１…本体制御ユニット
１２…ＣＰＵ
１３…ＲＯＭ
１４…ＲＡＭ
１５…不揮発性記憶手段
１７…排版ユニット
【図１】
2005103829.tif 000003
【図２】
2005103829.tif 000004
【図３】
2005103829.tif 000005